(57)【要約】【課題】  指紋や傷などによる浅いディフェクトによる再生ＲＦ信号のＤＣ変動を抑制してデータエラーの発生を抑えることのできる光ディスク装置を提供する。【解決手段】  再生ＲＦ信号を、周波数分割素子３にて、ディフェクトを含む低域信号とデータを含む高域信号とに周波数分割し、低域信号のレベルを低域レベル制限アンプ５にて制限して高域信号と加算することで、浅いディフェクトによるＤＣ変動を抑制した再生ＲＦ信号が得られ、低域のディフェクトに起因するデータエラーの発生を抑えることができる。【選択図】図２
2006114074.tif 000002
【特許請求の範囲】
【請求項１】
光ディスクから再生されたＲＦ信号を低域信号と高域信号とに周波数分割する周波数分割手段と、
前記低域信号のレベルを特定のレベルに制限するレベル制限手段と、
前記レベル制限された低域信号と前記高域信号とを加算する加算手段と
を具備することを特徴とする光ディスク装置。
【請求項２】
前記周波数分割手段が、抵抗とコンデンサからなる素子で構成されることを特徴とする請求項１に記載の光ディスク装置。
【請求項３】
前記加算手段の出力に対して自動利得制御を行って再生ＲＦ信号のレベルを後段の処理のレンジに対して最適化する自動利得制御回路をさらに具備することを特徴とする請求項１に記載の光ディスク装置。
【請求項４】
光ディスクから再生されたＲＦ信号を低域信号と高域信号とに周波数分割し、分割された前記低域信号のレベルを特定のレベルに制限して、このレベル制限された低域信号と前記高域信号とを加算して、ＤＣ変動を抑制した再生ＲＦ信号を生成することを特徴とする光ディスク装置の信号処理方法。
【請求項５】
光ディスクから再生されたＲＦ信号を抵抗とコンデンサからなる周波数分割素子で周波数分割することを特徴とする請求項４に記載の光ディスク装置の信号処理方法。
【発明の詳細な説明】
【技術分野】
【０００１】
本発明は、光ディスクの再生を行う光ディスク装置と、この光ディスク装置においてディスク面の浅いディフェクトによるデータエラーの発生を抑える信号処理方法に関する。
【背景技術】
【０００２】
近年、ブルーレイディスク（Ｂｌｕ−ｒａｙ  Ｄｉｓｋ）にデータを記録再生する光ディスク装置が出現している。ブルーレイディスクによれば、波長４０５ｎｍの青紫色レーザと、開口数（ＮＡ）０．８５の対物レンズに加えて、光透過保護層厚０．１ミリメートルのディスク構造を採用することにより、直径１２ｃｍの書き換え可能な相変化光ディスクの片面に最大２７ＧＢのデータを記録することができる。
【０００３】
ブルーレイディスクでは、ＤＶＤディスクに比べて、記録密度が約５倍、ディスクの光透過保護層が約１／７であるためディスク表面の欠陥（ディフェクト）の影響を受けやすい。そこで、ＥＣＣ（Ｅｒｒｏｒ  Ｃｏｒｒｅｃｔｉｏｎ  Ｃｏｄｅ）のエラー訂正能力を高くするために、１ＥＣＣブロックのサイズを、ブルーレイディスクの記録再生単位であるＲＵＢ（Ｒｅｃｏｒｄｉｎｇ  Ｕｎｉｔ  Ｂｌｏｃｋ）と同じ大きさである６４ＫＢｙｔｅと大きくしてある。しかし、想定外の大きな指紋や大きな擦り傷などの欠陥がディスク面にあると、それらの欠陥は１ＥＣＣ部（１ＲＵＢ）の１／３にも達し、１ＲＵＢのデータが破綻してしまう。
【０００４】
このような不具合を発生する原因は、ディスク欠陥によるデータの欠如であり、その対策として、従来よりディスク欠陥に起因する信号の欠落や指紋などの汚れに起因する信号レベルの低下を、ＡＧＣ回路が持つ時定数やＨＰＦのカットオフ周波数で補償（吸収）する方法を採っていた（例えば特許文献１参照）。  
【特許文献１】特開２００２−１２３９４５号公報（段落００３５、図４）
【発明の開示】
【発明が解決しようとする課題】
【０００５】
ところで、６８０ｎｍの光ディスクで２値データを扱う再生系では、２値の比較が再生ＲＦ信号のレベルの影響を殆ど受けないという理由からＡＧＣ回路が不要とされており、ディスク欠陥に対しては、比較動作に再生信号にＱＦＢ（Ｑｕａｎｔｉｚｅｄ  Ｆｅｅｄｂａｃｋ）（いわゆるオートスライサ）を掛けることによってゼロクロス点の変動を抑圧していた。
【０００６】
ところが、ここへ来て、ブルーレイディスクのように更なる高密度記録を達成するために、１−７ＰＰ（ｐａｒｉｔｙ  ｐｒｅ−ｓｅｒｖｅ／ｐｒｏｈｉｂｉｔ）ＲＭＴＲ（Ｒｅｐｅａｔｅｄ  Ｍｉｎｉｍｕｍ  Ｔｒａｎｓｉｔｉｏｎ  Ｒｕｎｌｅｎｇｔｈ）を採用し、Ａ／Ｄ変換を必要とするものが登場し、再生回路中にＡＧＣ回路が再び必要となってきた。これは、Ａ／Ｄ変換でのＳ／Ｎ低下を最小限に抑えるためにＡ／Ｄ変換のレンジに対して、ＲＦ信号のレベルが小さすぎないようにするためである。
【０００７】
しかしながら、このように再生回路にＡＧＣ回路を搭載した場合、ディスク上の未記録部から記録部、記録部から未記録部ヘの変化や、大きな欠陥によるＲＦ信号の低下や欠如に対する、ループの周波数応答が問題となってくる。すなわち、ＡＧＣ回路においては、ホールド後のループ過渡応答に問題があった。
【０００８】
また、ＲＦ信号が完全に低下する大きなディフェクトには、ＡＧＣ回路のホールドやＰＬＬのホールド、さらにはＨＰＦのスイッチなどが有効であったが、浅いディフェクトに対してはＡＧＣ回路やＥＱ（イコライザ）、ゼロクロス帰還に頼っているのが現状である。
【０００９】
しかしながら、指紋や傷などによる浅いディフェクトは５０ｋＨｚ以下の低域成分を含み、且つ浅くて広いものが多く、現状の対策では十分改善を果たすことが困難であった。また、記録密度が高くなった関係から、指紋の大きさは１ＲＵＢの１０〜２０％を占めようになり、データの破綻を来たす危険が高まってしまった。
【００１０】
本発明は前記事情に鑑み案出されたものであって、指紋や傷などによる浅いディフェクトによる再生ＲＦ信号のＤＣ変動を抑制してデータエラーの発生を抑えることのできる光ディスク装置および信号処理方法を提供することを目的としている。
【課題を解決するための手段】
【００１１】
本発明は上記目的を達成するため、この発明の光ディスク装置は、光ディスクから再生されたＲＦ信号を低域信号と高域信号とに周波数分割する周波数分割手段と、低域信号のレベルを特定のレベルに制限するレベル制限手段と、レベル制限された低域信号と高域信号とを加算する加算手段とを具備するものである。
【００１２】
すなわち、この発明の光ディスク装置によれば、低域のディフェクトによるＤＣ変動を抑制した再生ＲＦ信号が得られるので、低域のディフェクトに起因するデータエラーの発生を抑えることができる。
【００１３】
また、本発明の光ディスク装置において、周波数分割手段は抵抗とコンデンサからなる素子で構成されることを特徴とする。これにより、位相ずれを起こすことなく、再生ＲＦ信号を低域信号と高域信号に分割することができ、位相ひずみの無い低域と高域との加算信号が得られる。
【００１４】
さらに、本発明の構成は、加算手段の出力に対して自動利得制御を行って再生ＲＦ信号のレベルを後段の処理のレンジに対して最適化する自動利得制御回路を具備することを前提とした光ディスク装置に用いた場合に、ＤＣ変動を抑えたＲＦ信号を自動利得制御回路に入力できることで、ゼロクロス点の変動によるデータエラーの発生を抑えることができる。
【００１５】
また、本発明の別の観点に基づく光ディスク装置の信号処理方法は、光ディスクから再生されたＲＦ信号を低域信号と高域信号とに周波数分割し、分割された前記低域信号のレベルを特定のレベルに制限して、このレベル制限された低域信号と前記高域信号とを加算して、ＤＣ変動を抑制した再生ＲＦ信号を生成することを特徴とするものである。
【００１６】
この発明の光ディスク装置の信号処理方法によれば、低域のディフェクトによるＤＣ変動を抑制した再生ＲＦ信号が得られるので、低域のディフェクトに起因するデータエラーの発生を抑えることができる。
【００１７】
また、光ディスクから再生されたＲＦ信号を抵抗とコンデンサからなる周波数分割素子で周波数分割するようにしたことで、位相ずれを起こすことなく、再生ＲＦ信号を低域信号と高域信号に分割することができ、位相ひずみの無い低域と高域との加算信号が得られる。
【発明の効果】
【００１８】
本発明の光ディスク装置およびその信号処理方法によれば、指紋や傷などによる浅いディフェクトによる再生ＲＦ信号のＤＣ変動を抑制してデータエラーの発生を抑えることができる。
【発明を実施するための最良の形態】
【００１９】
以下、本発明の実施の形態を図面を参照して説明する。
【００２０】
図１は本発明の一実施の形態に係る光ディスク装置の構成を示すブロック図である。
【００２１】
この光ディスク装置１０１は、ＤＶＤ±Ｒ／ＲＷ、ＣＤ−Ｒ／ＲＷ、ブルーレイディスクのような光ディスク１０２を回転駆動するスピンドルモータ１０３、ＰＤ（フォト・ディテクタ）１０４やレーザ光源１０５を有する光ピックアップ１０６、この光ピックアップ１０６を光ディスク１０２の半径方向に移動する送りモータ１０７、装置全体及び信号処理やサーボ制御などの個別制御を行うシステムコントローラ１０８、光ピックアップ１０６のＰＤ（フォト・ディテクタ）１０４から出力される各種の信号に基づいてフォーカスエラー信号、トラッキングエラー信号、ＲＦ信号を生成するプリアンプ１０９、ディスク表面のディフェクトによる再生ＲＦ信号のＤＣ変動を抑制するディフェクト処理回路１１０、信号の変調、復調及びＥＣＣの付加、ＥＣＣに基づくエラー訂正処理を行う信号変復調器&ＥＣＣ部１１１、スピンドルモータ１０３及び送りモータ１０７を駆動制御するサーボ制御部１１２、外部コンピュータ１３０を接続するためのインターフェース１１３、Ｄ／Ａ，Ａ／Ｄ変換器１１４、オーディオ・ビュジュアル処理部１１５、オーディオ・ビュジュアル信号入出力処理部１１６、レーザ光源１０５を駆動するレーザ制御部１１７、再生時に信号変復調器&ＥＣＣ部１１１から出力される再生ＲＦ信号を基に同期信号（クロック）を生成するＰＬＬ（Ｐｈａｓｅ  Ｌｏｃｋｅｄ  Ｌｏｏｐ）回路１１８を有している。
【００２２】
図２は図１の光ディスク装置のディフェクト処理回路１１０の構成を示す図である。同図に示すように、ディフェクト処理回路１１０は、プリアンプ１０９から出力された再生ＲＦ信号のレベルを後段の処理に合わせて正規化するＡＧＣ（Ａｕｔｏｍａｔｉｃ  Ｇａｉｎ  Ｃｏｎｔｒｏｌ）アンプ１と、ＡＧＣアンプ１の出力をＣ１のコンデンサとＲ１の抵抗により周波数分割する周波数分割素子２と、周波数分割素子２により分割された高域信号を通過させるＨＰアンプ３と、周波数分割素子２により分割された低域信号のレベルを制限する低域レベル制限アンプ４と、ＨＰアンプ３の出力と低域レベル制限アンプ４の出力とを加算する加算部５と、加算部５の出力の低域成分を除去するとともに、後段のＡ／Ｄ変換するＡ／Ｄ変換器８のレンジに対してＲＦ信号のレベルを最適化するようにＡＧＣをかけるＨＰＦ（Ｈｉｇｈ  Ｐａｓｓ  Ｆｉｌｔｅｒ）&ＡＧＣアンプ６と、ＨＰＦ&ＡＧＣアンプ６の出力から光ディスクの装置の光学系損失による高域減衰を補償するＥＱ（イコライザ）７と、ＥＱ７の出力をディジタル信号に変換するＡ／Ｄ変換器８とを備えている。
【００２３】
次に、このディフェクト処理回路１１０の動作を説明する。
【００２４】
まず、プリアンプ１０９にて再生されたＲＦ信号のレベルがＡＧＣ回路１にて正規化された後、そのＲＦ信号は、周波数分割素子２にて、低域たとえば指紋などの浅いディフェクトの周波数成分である５０ｋＨｚ以下の低域信号と、それより高い周波数すなわち記録データ成分を含む高域信号とに分割される。
【００２５】
周波数分割素子２にて分割された高域信号はＨＰアンプ３を通過して加算回路５に入力される一方、低域信号は低域レベル制限アンプ４にて一定のレベル制限が行われて加算回路５に入力される。加算回路５では、ＨＰアンプ３を通過した高域信号と低域レベル制限アンプ４にて一定のレベル制限が行われた低域信号とが加算され、この結果、低周期の浅いディフェクトによるＤＣ変動がレベル制限分だけ抑制された再生ＲＦ信号が得られる。加算回路５より出力された再生ＲＦ信号は、ＨＰＦ&ＡＧＣアンプ６にてＡＧＣをかけることでＤＣ変動のさらなる抑制が図られる。その後、ＥＱ（イコライザ）８にて、光ディスクの装置の光学系損失による高域減衰を補償した信号に修正される。その後、Ａ／Ｄ変換器８にてディジタル化され、信号変復調器&ＥＣＣ部１１１に出力される。
【００２６】
図３は図２のディフェクト処理回路１１０における周波数分割素子２、ＨＰアンプ３、低域レベル制限アンプ４および加算回路５の実現回路を示す図である。
【００２７】
ここで、Ｒ１とＣ１は周波数分割素子２を構成する抵抗とコンデンサであり、このように一つの素子で信号を周波数分割することで、位相ずれを最小限に抑えつつ再生ＲＦ信号を浅いディフェクトを含む低域信号とデータを含む高域信号とに分割することができる。Ｑ２とＱ３は低域レベル制限アンプ４としての差動アンプを構成するトランジスタである。Ｑ２のトランジスタのベースには周波数分割素子２の抵抗Ｒ１とコンデンサＣ１との間から取り出される低域信号が入力され、Ｑ３のトランジスタのコレクタからレベルの制限された低域信号が出力される。一方、Ｑ１はベース接地アンプとすることで仮想接地とされたトランジスタであり、Ｒ２とＲ３の抵抗を負荷とするアンプ（ＨＰアンプ３）を構成している。このトランジスタＱ１のエミッタには周波数分割素子２のコンデンサＣ１の一端と接続され、再生ＲＦ信号から低域信号を減算した信号が入力されることで、トランジスタＱ１のコレクタから高域信号を出力する。Ｑ３のトランジスタのコレクタの出力とトランジスタＱ１のコレクタの出力は加算されてＱ４のバッファを構成するトランジスタのベースに印加され、エミッタより浅いディフェクトによるＤＣ変動が抑制された再生ＲＦ信号となって出力される。
【００２８】
図４は上記実現回路の動作波形を示す図である。
【００２９】
（Ａ）はディフェクトのある再生ＲＦ信号の波形、（Ｂ）はＨＰアンプ３の出力波形（トランジスタＱ３を切り離した時のトランジスタＱ１のコレクタ出力波形）、（Ｃ）は低域レベル制限アンプ４の出力波形（トランジスタＱ３のコレクタ出力波形）、（Ｄ）は加算回路５の出力波形（トランジスタＱ４のエミッタ出力波形）である。このように、低域信号に現れるディフェクト部のレベルのみを制限したものを高域信号に加算して再生ＲＦ信号に戻すことで、ディフェクトによるＤＣ変動を低減できることが分かる。
【００３０】
さらに、加算回路５の出力（Ｄ）に対して、ＨＰＦ&ＡＧＣアンプ６にてＡＧＣをかけることで得られた信号の波形を図５の（Ｅ）に示す。このようにＡＧＣをかけた後も、再生ＲＦ信号のディフォルト部でのゼロクロス点の変動が抑制されることで、データエラーの発生を抑えることができる。図５の（Ｆ）は、（Ｅ）の波形との比較のため、図４の（Ａ）に示すディフェクトを含む再生ＲＦ信号をＨＰＦ&ＡＧＣアンプ６を通した結果を示すものであり、図３に示した回路がない場合の結果である。
【００３１】
次に、再生ＲＦ信号に含まれるディフェクトについて説明する。
【００３２】
図６はディフェクトの無い再生ＲＦ信号のスペクトラム（５０ＭＨｚ以下）を示しており（２倍速再生でＴが３３ＭＨｚの場合）、６１はディスクに対するランダム信号の記録時の再生ＲＦ信号のスペクトラム、６２は再生のみを行った場合のスペクトラムである。ここで、変調度とは、ディフェクト部のレベル低下の度合を示しており、ちなみに図４の（Ａ）の再生ＲＦ信号の変調度は５０％である。図７は上記スペクトラムの低域（２ＭＨｚ以下）を拡大して示した図である。これらのグラフに示すように、再生ＲＦ信号では低域で信号が減衰する特性を有している。
【００３３】
図８は再生ＲＦ信号をＬＰＦ（Ｌｏｗ  Ｐａｓｓ  Ｆｉｌｔｅｒ）で制限した後の残留レベル特性を示すグラフである。ここで、残留レベルがＲＦ信号の１／１０になる周波数は約１２５ｋＨｚであり、この周波数は図７において再生ＲＦ信号が最も減衰する周波数と一致している。すなわち、図７において、６１で示す約１２５ｋＨｚのレベルが突起した部分において、最も顕著な減衰効果が得られた。
【００３４】
図９は低域分のある変調波をカットオフの低い（６４ｋＨｚ）ＨＰＦを通した結果およびカットオフの高い（１．５ＭＨｚ）ＨＰＦを通した結果を示すものであり、（Ａ）は浅いディフェクトに相当する５０ｋＨｚの低域分のある変調波、（Ｂ）はその低域分の小さな変調波、（Ｃ）は変調波（Ａ）をカットオフの低い（６４ｋＨｚ）ＨＰＦを通した波形、（Ｄ）は変調波（Ａ）をカットオフの高い（１．５ＭＨｚ）ＨＰＦを通した波形である。また、図１０は図９の各変調波（Ａ）−（Ｄ）のスペクトラムを示しており、（１）は低域分の小さな変調波（Ｂ）のスペクトラム、（２）は低域分のある変調波（Ａ）のスペクトラム、（３）は低域分のある変調波（Ａ）をカットオフの低い（６４ｋＨｚ）ＨＰＦを通した波形（Ｃ）のスペクトラム、（４）は低域分のある変調波（Ａ）をカットオフの高い（１．５ＭＨｚ）ＨＰＦを通した波形（Ｄ）のスペクトラムである。このように、低域分のある変調波をカットオフの低いＨＰＦを通した結果、その出力波形には低域分の微分が観測される。また、低域分のある変調波をカットオフの高いＨＰＦを通した場合には元の変調波と同等の波形が観測される。
【００３５】
以上から判るように、ディフェクトによる再生ＲＦ信号の低下は低域分のある信号となるので、上記ＬＰＦで分離した後のレベルの高い信号（データのキャリアとのレベル比は約２６ｄＢ）がディフェクトとなる。
【００３６】
図１１はＨＰＦ&ＡＧＣアンプ６におけるＡＧＣの周波数特性を示すグラフである。レベル検出Ｓ／Ｎを２６ｄＢ以上にするには、ＡＧＣのループは数１０ｋＨｚ以下にする必要があるため、ＡＧＣの周波数特性は同グラフに示すようなものとなる。また、ＡＧＣの応答はＲＦの平均値に対するもの（振幅変調）である。したがって、ＡＧＣはディフェクトによるＤＣ変動を減衰させるように働くものでないことが判る。
【００３７】
次に、本実施形態によるデータエラーの改善効果について説明する。
【００３８】
図１２は上記ディフェクト処理回路１１０による、図１３に示すｓｉｎ波（ａ）、三角波（ｂ）、矩形波（ｃ）に対するデータエラー改善効果特性を示すグラフである。このように、変調度５０〜７０％の範囲で見れば、ＬＤＣ（Ｌｏｎｇ  Ｄｉｓｔａｎｃｅ  Ｃｏｄｅ）エラー数は１／２〜１／３に改善されている。特に、変調度５０％のｓｉｎ波によるＬＤＣエラー数は１／８程度にまで顕著に下がり、実際のディフェクトに対して大きな効果が得られるものと推測される。
【００３９】
図１４は変調度５０％のｓｉｎ波に対する動作波形を示している。ここで、（Ａ）は変調度５０％のｓｉｎ波であり、ディフェクト変調部以外の信号はデータのサイドバンド信号である。（Ｂ）は低域レベル制限アンプ４への入力波形、（Ｃ）は低域レベル制限アンプ４の出力波形を示しており、低域レベル制限アンプ４はデータが歪まないレベルで信号の制限を行った場合を示している。
【００４０】
２倍速の再生回路（Ｔ＝３３ＭＨｚ）の周波数分割素子２の分割周波数を約１５０ＫＨｚとしたが、対応するディフェクトの周波数が低ければ、周波数分割素子２の分割周波数を更に下げることで制限レベルを上げられるので、ゼロクロス点の再現性がより改善される。周波数分割素子２の分割周波数を１５０ＫＨｚ以上とすると、データのサイドバンドのレベルが大きくなり、制限レベルが低下するので、それだけゼロクロス点の再現性が劣化する。したがって、周波数分割素子２の分割周波数はＴ周波数の１／２００以下が良いと言える。
【００４１】
次に、データエラーとディフェクト変調度、そしてＤＣ変動との関係について説明する。図１５はＤＣ変動が無い場合でのデータエラー数とディフェクト変調度との関係を示すグラフ、図１６はＤＣ変動が無いディフェクトを含むＲＦ信号の例であり、（１）は変調度０％、（２）は変調度２０％、（３）は変調度８０％のＲＦ信号である。このように、再生ＲＦ信号のＤＣ変動が無ければ、変調度が８０％でもデータエラー数は問題ない程度で済むことが判る。
【００４２】
図１７はディフェクト変調度４０％の場合でのデータエラー数とＤＣ変動との関係を示すグラフ、図１８はディフェクト変調度４０％のＲＦ信号のＤＣ変動を示す図であり、（１）はＤＣ変動無し、（２）はＤＣ変動２０％、（３）はＤＣ変動４０％のＲＦ信号である。このように、ＲＦ信号のＤＣ変動が約２５％からエラーが急激に増大し始めることが判る。
【００４３】
以上により、データエラーの改善にはＲＦ信号のＤＣ変動を抑制することが有益であることが判る。
【００４４】
本実施形態によれば、再生ＲＦ信号を周波数分割素子２にてディフェクトを含む低域信号と高域信号とに周波数分割し、低域信号のレベルを低域レベル制限アンプ４にて制限して高域信号と加算することで、低域のディフェクトによるＤＣ変動を抑制した再生ＲＦ信号が得られるので、低域のディフェクトに起因するデータエラーの発生を抑えることができる。
【００４５】
なお、本発明は上記実施の形態に限定されることなく、その要旨を逸脱しない範囲において、具体的な構成、機能、作用、効果において、他の種々の形態によっても実施することができる。
【図面の簡単な説明】
【００４６】
【図１】本発明の一実施の形態に係る光ディスク装置の構成を示すブロック図である。
【図２】図１の光ディスク装置のディフェクト処理回路の構成を示す図である。
【図３】図２のディフェクト処理回路における周波数分割素子、ＨＰアンプ、低域レベル制限アンプおよび加算回路の実現回路を示す図である。
【図４】図３の実現回路の動作波形を示す図である。
【図５】加算回路の出力に対するＡＧＣの出力信号波形を示す図である。
【図６】ディフェクトの無い再生ＲＦ信号のスペクトラムを示す図である。
【図７】図６のスペクトラムの低域を拡大して示した図である。
【図８】再生ＲＦ信号をＬＰＦで制限した後の残留レベル特性を示すグラフである。
【図９】低域分のある変調波とこれをＨＰＦを通した結果を示す信号波形図である。
【図１０】図９の各変調波のスペクトラムを示す図である。
【図１１】ＨＰＦ&ＡＧＣアンプにおけるＡＧＣの周波数特性を示すグラフである。
【図１２】ディフェクト処理回路のデータエラー改善効果特性を示す図である。
【図１３】図１２のデータエラー改善効果特性の測定対象である信号波形サンプルを示す図である。
【図１４】変調度５０％のｓｉｎ波に対する動作波形を示す図である。
【図１５】ＤＣ変動が無い場合でのデータエラー数とディフェクト変調度との関係を示すグラフである。
【図１６】ＤＣ変動が無いディフェクトを含むＲＦ信号の例を示す図である。
【図１７】ディフェクト変調度４０％の場合でのデータエラー数とＤＣ変動との関係を示すグラフである。
【図１８】ディフェクト変調度４０％のＲＦ信号のＤＣ変動を示す図である。
【符号の説明】
【００４７】
１      ＡＧＣアンプ
２      周波数分割素子
３      ＨＰアンプ
４      低域レベル制限アンプ
５      加算回路
６      ＨＰＦ&ＡＧＣアンプ
７      ＥＱ
８      Ａ／Ｄ変換器
１０１      光ディスク装置
１０９      プリアンプ
１１０      ディフェクト処理回路
【図１】
2006114074.tif 000003
【図２】
2006114074.tif 000004
【図３】
2006114074.tif 000005
【図４】
2006114074.tif 000006
【図５】
2006114074.tif 000007
【図６】
2006114074.tif 000008
【図７】
2006114074.tif 000009
【図８】
2006114074.tif 000010
【図９】
2006114074.tif 000011
【図１０】
2006114074.tif 000012
【図１１】
2006114074.tif 000013
【図１２】
2006114074.tif 000014
【図１３】
2006114074.tif 000015
【図１４】
2006114074.tif 000016
【図１５】
2006114074.tif 000017
【図１６】
2006114074.tif 000018
【図１７】
2006114074.tif 000019
【図１８】
2006114074.tif 000020